(57)【特許請求の範囲】
【請求項１】
処分対象メディアを、データの書き込みおよび読み出しが不能な状態となるように処分
するメディア処分手段と、
前記処分対象メディアのレーベル面に印刷されているレーベル面画像を読み取るための  前記処分対象メディアの搬送機構に搭載された読取用ラインセンサ若しくは、把持された前記対象メディアのいずれかを回転させる構成の画像読取手段と、
前記レーベル面画像をメディア処分履歴として記憶する記憶手段と、
を有していることを特徴とするメディア処理装置。
【請求項２】
請求項１において、
前記画像読取手段によってレーベル面画像が読み取られた後の前記処分対象メディアが、前記メディア処分手段によって処分されることを特徴とするメディア処理装置。
【請求項３】
請求項１または２の項において、
前記画像読取手段によって読み取られた前記レーベル面画像に含まれているメディア識別情報を判読する判読手段を有していることを特徴とするメディア処理装置。
【請求項４】
請求項１ないし３のうちのいずれかの項において、
前記レーベル面画像を外部に出力するための出力手段を有していることを特徴とするメディア処理装置。
【請求項５】
請求項１ないし４のうちのいずれかの項において、
前記メディア処分手段によって処分されたメディアを保管する処分済みメディア保管手段と、を有することを特徴とするメディア処理装置。
【請求項６】
メディアにデータを書き込み、書き込まれたデータを読み出すメディア処理装置の制御
方法であって、
前記メディアの処分指令に応じて、処分対象メディアのレーベル面に印刷されているレーベル面画像を
前記メディアの搬送機構に搭載された読取用ラインセンサ若しくは、把持された前記メディアのいずれかを回転させる構成の画像読取手段で、読み取る読み取りステップと、  前記メディアを書き込みおよび読み出しが不能な状態となるように処分する処分ステップと、
前記レーベル面画像をメディア処分履歴として記憶する記憶ステップと、
を有することを特徴とするメディア処理装置の制御方法。
【請求項７】
請求項６において、
前記読み取りステップにおいて、前記レーベル面画像に含まれているメディア識別情報を判読することを特徴とするメディア処理装置の制御方法。
【発明の詳細な説明】
【技術分野】
【０００１】
本発明は、不要となったＣＤ、ＤＶＤなどのメディアを使用できないように処分するために用いるメディア処理装置に関し、特に、メディア処分履歴を残すことのできるメディア処理装置に関するものである。
【背景技術】
【０００２】
データの受け渡しなど行うために、データが書き込まれたＣＤ、ＤＶＤなどのメディアが用いられている。特に、データ量が多い場合に、文書の代わりに、メディアを用いてデータの交換が行われている。
【０００３】
データが書き込まれたメディア、例えばＣＤは、ＣＤパブリッシャと呼ばれるメディア処理装置によって作成される。ＣＤパブリッシャでは、ブランクメディア・ストッカに収納されているブランクＣＤをＣＤドライブに供給して、所定のデータを書き込み、しかる後に、レーベルプリンタによってＣＤのレーベル面に印刷を施すことにより、ＣＤを作成している。例えば、特許文献１にはこのようなパブリッシャが開示されている。
【０００４】
一方、使用後に不要となったＣＤなどのメディアは、そこに書き込まれているデータが外部に漏洩して悪用されることの無いように、クラッシャなどと呼ばれているメディア処理装置によって、データの読み出し、書き込みが不能となるように処分する必要がある。ＣＤを処分するための装置は、特許文献２ないし４などに開示されている。また、特許文献５には識別コード付ラベルによって記録媒体の品質、所在、購入/廃棄の管理を行う方法が開示されている。
【特許文献１】米国特許第５，９１４，９１８号公報
【特許文献２】特開２００４−６２９６４号公報
【特許文献３】特開平１０−２１４４２４号公報
【特許文献４】特開２００２−３１６３２１号公報
【特許文献５】特開２００３−２４８７４５号公報
【発明の開示】
【発明が解決しようとする課題】
【０００５】
ここで、機密データを取り扱う場合などにおいては、かかるデータが書き込まれていた使用済みのメディアが確実に処分されたことを確認できることが望ましい。しかしながら、従来において用いられているメディア処分用のメディア処理装置は、単にメディアを処分する機能を有するのみであり、処分履歴を残しておくことができない場合がある。
【０００６】
ＣＤなどのメディアには、一般に、データと共にメディアＩＤも書き込まれており、メディアドライブを用いれば、メディアを特定可能である。しかし、外部から持ち込まれたメディアなどの場合にはメディアＩＤを読み出すことができない場合があるので、メディアＩＤを読み出してメディアの処分履歴を残す方法は実用的でない。特許文献５に開示された記録媒体の管理方法によっても、外部から持ち込まれ、識別コード付ラベルが貼付されていない記録媒体に関しては、個々の記憶媒体を特定することができないため、その処分履歴を残すことは難しい。
【０００７】
本発明の課題は、このような点に鑑みて、簡単な構成により、外部から持ち込まれたメディアであるか否かにかかわらず、メディアの処分履歴を残すことのできるメディア処理装置を提案することにある。
【課題を解決するための手段】
【０００８】
（１）  処分対象メディアを、データの書き込みおよび読み出しが不能な状態となるように処分するメディア処分手段と、
前記処分対象メディアのレーベル面に印刷されているレーベル面画像を読み取るための
前記処分対象メディアの搬送機構に搭載された読取用ラインセンサ若しくは、把持された前記対象メディアのいずれかを回転させる構成の画像読取手段と、
前記レーベル面画像をメディア処分履歴として記憶する記憶手段と、
を有していることを特徴とするメディア処理装置。
（２）  （１）において、
前記画像読取手段によってレーベル面画像が読み取られた後の前記処分対象メディアが
、前記メディア処分手段によって処分されることを特徴とするメディア処理装置。
（３）  （１）または（２）において、
前記画像読取手段によって読み取られた前記レーベル面画像に含まれているメディア識
別情報を判読する判読手段を有していることを特徴とするメディア処理装置。
（４）  （１）ないし（３）のいずれかにおいて、
前記レーベル面画像を外部に出力するための出力手段を有していることを特徴とするメ
ディア処理装置。
（５）  （１）ないし（４）いずれかにおいて、
前記メディア処分手段によって処分されたメディアを保管する処分済みメディア保管手
段と、を有することを特徴とするメディア処理装置。
（６）  メディアにデータを書き込み、書き込まれたデータを読み出すメディア処理装置の制御方法であって、
前記メディアの処分指令に応じて、処分対象メディアのレーベル面に印刷されているレ
ーベル面画像を
前記メディアの搬送機構に搭載された読取用ラインセンサ若しくは、把持された前記メディアのいずれかを回転させる構成の画像読取手段で、読み取る読み取りステップと、
前記メディアを書き込みおよび読み出しが不能な状態となるように処分する処分ステッ
プと、
前記レーベル面画像をメディア処分履歴として記憶する記憶ステップと、
を有することを特徴とするメディア処理装置の制御方法。
（７）  （６）において、
前記読み取りステップにおいて、前記レーベル面画像に含まれているメディア識別情報
を判読することを特徴とするメディア処理装置の制御方法。
【０００９】
本発明では、処分されるメディアのレーベル面画像を読み取ることができる。そして、処分されるメディアはそのレーベル面画像が画像読取手段によって読み取られた後に、メディア処分手段によって処分されるので、読み取ったレーベル画像を記憶しておけば処分される全てのメディアの処分履歴を保持することが可能である。また、外部から持ち込まれたメディアのレーベル画像を読み取ることもできるので、外部から持ち込まれたメディアであるか否かにかかわらず、メディアの処分履歴を確実に残すことが可能となる。
【００１０】
また、本発明のメディア処理装置及びメディア処理装置の制御方法によれば、読み取られたレーベル面画像に含まれているメディア識別情報を判読するので、メディア識別情報としてメディアのレーベル面に印刷されたメディアＩＤを、読み取ったレーベル画像情報から判読することができ、処分メディアを確実に特定することができる。
【００１１】
さらに、本発明のメディア処理装置及びメディア処理装置の制御方法によれば、レーベル面画像をメディア処分履歴として記憶するのでメディア処分履歴をメディア処理装置の内部に保持することが可能である。
【００１２】
また、本発明のメディア処理装置は、レーベル面画像を外部に出力するための出力手段を有しているので、メディア処理装置と通信可能に接続された上位機器などによって、記憶手段に記憶されたメディア処分履歴を参照することが可能である。また、レーベル面印刷画像を参照することによって、そこに印刷されている書き込みデータのタイトルなどから、処分されたメディアの書き込みデータについても確認することができる。さらに、メディア処理装置は上位機器からの要求に応じて、出力手段を介してメディア処分履歴を送信することもできるので、上位機器などにおいてメディア処分履歴を管理することが可能である。
【００１３】
なお、メディア処分履歴には、処分された各メディアの処分日時、処分担当者名などを含めることもできる。
【００１４】
一方、本発明は、所定のデータが書き込まれたメディアを作成する機能を備えたメディア処理装置に適用することもできる。この場合における本発明のメディア処理装置は、上記の構成に加えて、メディアに対して、データの書き込みおよび読み出しを行うメディアドライブと、メディアのレーベル面に印刷を行うレーベル印刷手段とを備えている。また、本発明のメディア処理装置の制御方法は、メディアに対して、データの書き込みを行う書き込みステップと、メディアのレーベル面に印刷を行う印刷ステップとを有している。したがって、データ書き込み、レーベル印刷処理が行われたメディアについて、後にそのメディアが効用を終えて使用済みメディアとしてメディア処分手段によって処分された場合には、メディアの作成から廃棄までを管理することができるので、機密データなどが書き込まれたメディアを取り扱う場合に適している。
【００１５】
また、本発明のメディア処理装置は、未使用のブランクメディアを保管するメディア保管手段と、メディアドライブによってデータが書き込まれたメディアを保管する書き込み済みメディア保管手段と、メディア処分手段によって処分されたメディアを保管する処分済みメディア保管手段とを備えているので、異なる状態のメディアをそれぞれ明確に区別して保管することができる。また、処分対象メディアが複数枚ある場合には処分済みメディア保管手段に蓄積してからまとめて取り出すことができるのでユーザを煩わせることがない。
【発明の効果】
【００１６】
本発明のメディア処理装置は、メディアのレーベル面画像を読み取る画像読取手段を備えている。したがって、処分するメディアのレーベル面画像を処分メディア履歴として残すことができる。よって、機密データが書き込まれたメディアを処分する場合などにおけるデータ管理を、処分メディア履歴に基づき、確実に行うことが可能になる。
【発明を実施するための最良の形態】
【００１７】
（ＣＤパブリッシャの具体的構成例）
以下に、図面を参照して、本発明を適用したメディア処理装置の実施例を説明する。図１はＣＤパブリッシャ（メディア処理装置）の外観斜視図である。
ＣＤパブリッシャ１（以下、「パブリッシャ１」という。）は、ほぼ直方体形状のケース８を備えている。このケース８の前面には、左右に開閉可能な開閉扉９、３３が取り付けられている。開閉扉９、３３の下側右端部には、表示ランプ、操作ボタンなどが配列された操作面３４が形成されており、当該操作面３４の隣には、メディア排出口１０が開いている。
【００１８】
図２は、開閉扉９、３３を開いた状態でのＣＤパブリッシャ１の斜視図である。
左側の開閉扉９は閉じ状態にロックされており、操作面３４に図示せぬ生体認証用の読み取り部、例えば指紋センサなどを配置しておき、予め登録されている者のみが開閉できるようになっている。あるいは、ＣＤパブリッシャ１と通信可能に接続された上位機器１６側（図６参照）からの指令によって開閉可能となっている。これに対して、右側の開閉扉３３は後述するレーベルプリンタ５（図３、４参照）のインクカートリッジの交換時に開閉するためのものであり、当該開閉扉３３を開けると、カートリッジ装着部３６が露出するようになっている。本例では上下二段のカートリッジ装着部３６が形成されている。
【００１９】
図３は、開閉扉９、３３およびケース８の一部を取り外した状態でのＣＤパブリッシャ１の斜視図である。
図２および図３を参照して説明すると、ＣＤパブリッシャ１のケース８の内部には、その左側の部位において、データ書き込み処理が行われていない複数枚の未使用のブランクメディア２Ａをスタック可能なブランクメディア保管部３Ａと、作成済みメディア２Ｂが保管される作成済みメディア保管部３Ｂが同軸状態で上下に配置されている。ブランクメディア保管部３Ａは、前方に水平に引き出し可能なスライド板４１と、このスライド板４１の上に垂直に配置されている左右一対の円弧状の枠板４２、４３とを備えており、これらにより、ＣＤを上側から受け入れ、同軸状態に積層した状態で収納可能なスタッカが構成されている。ブランクメディア保管部３Ａにブランクメディア２Ａを収納あるいは補充する作業は、開閉扉９を開け、スライド板４１を手前に引き出すことにより、簡単に行うことが可能となっている。
【００２０】
下側の作成済みメディア保管部３Ｂも同一構造となっており、前方に水平に引き出し可能なスライド板４４と、この上面に垂直に配置されている左右一対の円弧状の枠板４５、４６とを備えており、これらによって、ＣＤを上側から受け入れ、同軸状態で積層した状態で収納可能なスタッカが構成されている。
【００２１】
使用済みメディア２Ｃを処分する場合には、開閉扉９を開けて、作成済みメディア保管部３Ｂに、使用済みメディア２Ｃをセットして、処分動作を行うことが可能となっている。また、開閉扉９からは、作成済みメディア２Ｂ（すなわち、データの書き込み、およびレーベル面印刷が終了したメディア）を取り出すこともできる。
【００２２】
これらのブランクメディア保管部３Ａおよび作成済みメディア保管部３Ｂの後側には、メディア搬送機構６が配置されている。メディア搬送機構６は、ケース８に垂直に取り付けられているシャーシ５１と、このシャーシ５１の上下の水平支持板部分５２、５３の間に垂直に架け渡されている垂直ガイド軸５４と、この垂直ガイド軸５４に取り付けたメディアキャリア５５とを備えている。メディアキャリア５５は、垂直ガイド軸５４に沿って昇降可能であるとともに、当該垂直ガイド軸５４を中心に左右に旋回可能である。メディア搬送機構６によってメディア排出口１０に搬送されてきたメディア２Ｄは、当該メディア排出口１０から外部に取り出すことが可能である（図６参照）。
【００２３】
上下の保管部３Ａ、３Ｂおよびメディア搬送機構６の側方の部位には、上側にメディアドライブ４が配置され、下側にレーベルプリンタ５が配置されている。メディアドライブ４は、ＣＤへのデータ書き込み位置とＣＤの受け取り受け渡しを行うメディア受け渡し位置との間を移動可能なメディアトレイ４ａを有している。また、レーベルプリンタ５は、ＣＤのレーベル面へのレーベル印刷可能な位置とＣＤの受け取り受け渡しを行うメディア受け渡し位置との間を移動可能なメディアトレイ８１を有している。
【００２４】
図２、３では、上側のメディアドライブ４のメディアトレイ４ａが手前に引き出されたメディア受け渡し位置４Ａにある状態、および、下側のレーベルプリンタ５のメディアトレイ８１が手前側のメディア受け渡し位置８１Ａにある状態が示されている。また、レーベルプリンタ５はインクジェットプリンタであり、インク供給源として各色のインクカートリッジ８２が用いられており、これらのインクカートリッジ８２がカートリッジ装着部３６に前方から装着されている。
【００２５】
ここで、ブランクメディア保管部３Ａおよび作成済みメディア保管部３Ｂの左右一対の枠板４２、４３の間、４５、４６の間には、メディア搬送機構６のメディアキャリア５５が昇降可能な隙間が形成されている。また、これら上下のス保管部３Ａ、３Ｂの間には、メディアキャリア５５が水平に旋回して、ブランクメディア保管部３Ａの真上に位置できるように、隙間が開いている。さらに、上側のメディアトレイ４ａをメディアドライブ４に押し込むと、メディア搬送機構６のメディアキャリア５５を下降させて、メディア受け渡し位置にあるメディアトレイ８１にアクセス可能となっている。したがって、メディアキャリア５５の昇降および左右への旋回の組み合わせ動作によって、ＣＤを各部分に搬送することが可能である。
【００２６】
また、図４は、図２のＶＩ―ＶＩ線に沿って切ったパブリッシャ１の模式的断面図である。
図４に示すように、メディアトレイ８１の下方には、廃棄用のＣＤを保管するための廃棄用スタッカ２７が配置されている。この廃棄用スタッカ２７には、例えば３０枚程度の廃棄用ＣＤを保管可能である。メディアトレイ８１が廃棄用スタッカ２７の上方のメディア受け渡し位置８１Ａからデータ書き込み位置へ退避した状態で、メディア搬送機構６により廃棄用のＣＤを廃棄用スタッカ２７に供給可能となっている。
【００２７】
まとめると、ＣＤは、ブランクメディア保管部３Ａ、作成済みメディア保管部３Ｂ、廃棄用スタッカ２７、メディアドライブ４のメディアトレイ４ａ及びレーベルプリンタ５のメディアトレイ８１間をメディア搬送機構６を介して搬送される。
【００２８】
（レーベルプリンタ５の機械的構成について）
次に、レーベルプリンタ５の機械的構成について詳細に説明する。図５はレーベルプリンタ５のみを示す斜視図である。
レーベルプリンタ５はシャーシ８３を備え、このシャーシ８３における後側の左右の側板部分の間にはキャリッジガイド軸８４が水平に架け渡されており、ここに沿って、インクジェットヘッド（図示せず）が搭載されたヘッドキャリッジ８５が左右方向に往復移動可能である。キャリッジ駆動機構は、左右方向に水平に架け渡したタイミングベルト８６と、これを駆動するためのキャリッジモータ８７とを備えている。
【００２９】
ヘッドキャリッジ８５に搭載されているインクジェットヘッドは、そのノズル面が下向きとされており、当該インクジェットヘッドの下側位置を、前後方向に水平にメディアトレイ８１が往復移動可能となっている。メディアトレイ８１は、その右側の端が、前後方向に水平に延びるガイド軸８８によって支持され、その左側の端が、スライド可能な状態で、前後方向に水平に延びるガイドレール８９によって支持されている。このメディアトレイ８１の駆動機構も、前後方向に水平に架け渡したタイミングベルト９０と、これを駆動するためのトレイモータ９１を備えた構成となっている。
【００３０】
メディアトレイ８１は、矩形の板の上面に、ＣＤを載せるための円形の浅い凹部８１ａを備えている。また、当該凹部８１ａの中心部には、同一円上において１２０度間隔に配置された図示せぬ３本の垂直爪を備えている。そのうち２本の垂直爪は半径方向に一体となって移動可能であり、残りの１本の垂直爪は、固定位置に配置されている。電磁ソレノイドなどの不図示駆動機構によって２本の垂直爪が移動するようになっている。
【００３１】
ＣＤを、そのレーベルなどの印刷面を上向きにして、上から凹部８１ａに落とすと、ＣＤのセンターホールに３本の垂直爪が差し込まれた状態になる。この後に、２本の垂直爪を半径方向の外方に僅かに移動すると、これら３本の垂直爪がＣＤのセンターホールの内周面に内側から押し付けられた状態になる。これにより、ＣＤがメディアトレイ８１に保持される。この状態で、図示せぬトレイモータを駆動して、メディアトレイ８１をガイド軸８８に沿って後ろ側に移動させ、インクジェットヘッドの印字領域内まで移動させることができる。この後は、インクジェットヘッドによって、ＣＤの印刷面に所定の印刷を施すことができる。
【００３２】
（メディア処分機構１１について）
図５に示すように、プリンタシャーシ８３における前板部分９５には、左右一対の垂直突起９６、９７を備えたメディア処分機構１１（メディア処分手段）が取り付けられている。これらの垂直突起９６、９７はプランジャなどの駆動機構によって、下方に突出可能となっている。これらの突起９６、９７を下方に突出させた状態のままで、メディアトレイ８１を後側あるいは前側に移動すると、そこに載っているＣＤに突起９６、９７の先端が当たった状態で、当該ＣＤが移動する。この結果、ＣＤの記録面が機械的に破壊され、読み出しが不能な状態になる。
【００３３】
（パブリッシャ１の内部処理について）
図６はパブリッシャ１の内部概略構成図である。パブリッシャ１は、各部の制御を司る制御部７を有し、パブリッシャ１内の後述する各部間の動作制御を行う中央制御部となっている。具体的には、メディアドライブ４、レーベルプリンタ５、メディア搬送機構６等の動作を制御する。
【００３４】
パブリッシャ１は、メディア作成のための機能に加えて、作成後に不要となったメディア２Ｃを、データ書き込み、データ読み出し不能な状態に処分するためのメディア処分機構１１に加え、当該メディア処分機構１１によって処分される使用済みメディア２Ｃのレーベル面印刷画像を読み取るための画像センサ、例えば、ＣＣＤなどからなるラインセンサ１２（画像読取手段）と、読み取られたレーベル面印刷画像を、メディア処分機構１１によるメディア処分履歴１３ａとして記憶するための記憶部１３を備えている。
【００３５】
メディア処分機構１１は、上述したように、レーベルプリンタ５におけるメディアトレイ８１の動きを利用して、使用済みメディア２Ｃの記録面に垂直突起９６、９７によって機械的な傷を付けて、データの読み出し、書き込みが不能の処分済みメディア２Ｄとするようになっている。
【００３６】
レーベル面印刷画像の読取用のラインセンサ１２は、例えば、メディア搬送機構６に搭載されている。メディア搬送機構６に把持された使用済みメディア２Ｃを回転させ、当該メディア２Ｃのレーベル面２ａに受光面が対峙する状態でメディア半径方向に沿って配置されているラインセンサ１２によって、レーベル面２ａの全体の印刷画像を読み取るようになっている。この代わりに、メディア搬送機構６に把持された使用済みメディア２Ｃのレーベル面２ａに沿って、その半径方向に配置されているラインセンサ１２の側を回転させて、レーベル面２ａの全印刷画像を読み取るようにしてもよい。
【００３７】
さらに、制御部７には操作部１４が接続されており、操作部１４には、認証用のパスワードなどを入力するためのテンキーなどの英数字キー群、各種のファンクションキー群、および状態表示ランプなどの表示器群が配置されている。また、制御部７は、通信用のインターフェース１５（出力手段）を介して、専用通信回線あるいは一般通信回線によって上位機器１６と接続されている。通常は、上位機器１６側から制御部７に供給されるメディア作成指令、メディア処分指令などに基づき、メディア作成動作（データ書き込み動作、レーベル面印刷動作）、メディア処分履歴作成動作（レーベル面印刷画像読取動作）、メディア処分動作などが起動するようになっている。
【００３８】
（パブリッシャ１の動作説明）
図７は本例のパブリッシャ１の動作を示す概略フローチャートである。このフローチャートに従って動作を説明する。まず、上位機器１６からメディア作成指令を受けると（ステップＳＴ１）、メディア搬送機構６によって、メディア保管部３のブランクメディア保管部３Ａの最も上に位置しているブランクメディア２Ａを取り出して（ステップＳＴ２、図５の矢印Ａ１）、ＣＤドライブ４にセットして、当該メディアを特定するためのメディアＩＤと、データの書き込みを行い、書き込み済みメディア２Ｂ１を作成する。また、当該書き込み済みメディア２Ｂ１のメディアＩＤと、書き込まれたデータ名、データ構造などとを対応付けした形態で記憶部１３に記憶保持する（ステップＳＴ３）。
【００３９】
この後は、書き込み済みメディア２Ｂ１をレーベルプリンタ５にセットして、そのレーベル面２ａにレーベル印刷情報およびメディアＩＤを印刷する（ステップＳＴ４、図５の矢印Ａ２）。メディアＩＤは、バーコード、２次元バーコード、ＯＣＲ文字、数字、電子透かしなどの形態で印刷される。また、記憶部１３に、レーベル面印刷履歴として印刷済みであることを表す情報を記憶する。このようにして作成された作成済みメディア２Ｂをメディア保管部３の作成済みメディア保管部３Ｂに収納する（ステップＳＴ５、図５の矢印Ａ３）。また、当該収納場所に関する情報を記憶部１３に記憶保持する。
【００４０】
このようにして作成済みメディア保管部３Ｂに保管されている作成済みメディア２Ｂは、上位機器１６からメディア発行指令があると、当該メディア保管部３Ｂから取り出されて、メディア排出口１０まで搬送され、外部から取り出すことが可能になる（図５の矢印Ｂ）。
【００４１】
次に、上位機器１６の側からメディア処分指令を受け取ると（ステップＳＴ１１）、作成済みメディア保管部３Ｂに保管されている作成済みメディア２Ｂを一時的に、ブランクメディア保管部３Ａの側に退避させる（ステップＳＴ１２）。作成済みメディア保管部３Ｂが空になった後に、操作部１４の表示器群を介して、処分対象の使用済みメディア２Ｃをセットさせるためのメッセージ表示などを行う（ステップＳＴ１３）。操作者が、予め付与されているパスワードなどを入力して認証を受けると開閉扉９が開くので、ここから、作成済みメディア保管部３Ｂに処分対象の使用済みメディア２Ｃをセットできる。
【００４２】
使用済みメディア２Ｃがセットされて、開閉扉９が閉じられたことを確認すると（ステップＳＴ１４）、メディア処分機構１１による使用済みメディア２Ｃの処分動作が開始される。まず、使用済みメディア２Ｃをメディア搬送機構６によって取り出し、レーベルプリンタ５のメディア処分機構１１に向けて搬送する（ステップＳＴ１５、図５の矢印Ｃ１）。搬送中において、ラインセンサ１２によって、使用済みメディア２Ｃのレーベル面印刷画像の読取を行う（ステップＳＴ１６）。
【００４３】
ここで、制御部７は、読み取られたレーベル面印刷画像からメディアＩＤを判別するための判別手段として機能する（判読手段）。制御部７がレーベル面印刷画像からメディアＩＤを判別すると、メディアＩＤと、レーベル面印刷画像と、処分日時と、メディア処分担当者名が対応付けされた形態のメディア処分履歴１３ａが記憶部１３に記憶される。
【００４４】
メディア処分機構１１にセットされた使用済みメディア２Ｃは、ここで処分される（ステップＳＴ１８）。ここでは、レーベルプリンタ５のメディアトレイ８１の動きを利用し、垂直爪９６、９７によって使用済みメディア２Ｃの記録面に機械的な傷を付けることでデータの読み出し、書き込みが不能な処分済みメディア２Ｄとして処分する。処分後の使用済みメディア２Ｃ、すなわち、処分済みメディア２Ｄは、メディア搬送機構６によってメディア排出口１０まで搬送され、そこに排出される（ステップＳＴ１９、図５の矢印Ｃ２）。この結果、操作者は、メディア排出口１０から、処分済みメディア２Ｄを取り出すことができる。処分済みメディア２Ｄが取り出されたことが確認されると（ステップＳＴ２０）、次の使用済みメディア２Ｃの処分動作が開始する。
【００４５】
なお、処分済みメディア２Ｄは、メディア搬送機構６によって廃棄用のＣＤを保管するための廃棄用スタッカ２７に保管してもよい。廃棄用スタッカ２７を用いることによって、メディア排出口１０から１枚づつ取り出す必要がなく、ある枚数をまとめて取り出すことができるので、処分対処メディアが複数枚ある場合にもユーザを煩わせることがない。また、ブランクメディア２Ａと、作成済みメディア２Ｂと、処分済みメディア２Ｄとをそれぞれ明確に区別して保管することができる。
【００４６】
セットした使用済みメディア２Ｃが全て処分されて作成済みメディア保管部３Ｂが空になったことが確認されると（ステップＳＴ２１）、ブランクメディア保管部３Ａに退避させてあった作成済みメディア２Ｂを再び、作成済みメディア保管部３Ｂに戻す（ステップＳＴ２２）。このようにして、一連の使用済みメディアの処分動作が終了する。
【００４７】
この結果、記憶部１３には、メディア処分機構１１によるメディア処分履歴１３ａとして、各処分済みメディア２ＤのメディアＩＤ、レーベル面印刷画像、処分日時、処分担当者が残る。したがって、当該記憶部１１のメディア処分履歴１３ａを、例えば、上位機器１６の側から参照することにより、処分済みメディア２Ｄを確認できる。また、レーベル面印刷画像を参照することによって、そこに印刷されている書き込みデータのタイトルなどから、処分されたメディアの書き込みデータについても確認することができる。また、上位機器１６からの要求に応じて、パブリッシャ１が上位機器１６へメディア処分履歴１３ａを送信し、上位機器１６のデータベースＤＢにパブリッシャ１から処分履歴情報を記録するように設定しておけば、上位機器１６側でもメディア処分履歴を管理することが可能である。
【００４８】
よって、本例のパブリッシャ１を用いれば、メディアの作成から廃棄までを管理することができるので、機密データなどが書き込まれたメディアを取り扱う場合に適している。
【００４９】
また、ステップＳＴ１３で、処分対象の使用済みメディア２Ｃをセットさせるためのメッセージ表示が行われた際に、外部で作成されたメディアを作成済みメディア保管部３Ｂにセットしてメディア処分機構１１による処分を行った場合には、その処分履歴として外部で作成されたメディアに印刷されたレーベル面印刷画像が記憶部１３に残っているので、それを確認することにより、処分されたメディアを特定することができ、書き込まれているデータ内容も確認することが可能である。よって、パブリッシャ１で作成したメディアだけでなく、外部から持ち込まれて処分されたメディアについても、処分後において確認することができるので、極めて便利である。
【００５０】
なお、本例のメディア処分機構１１は、例えば、プランジャなどの駆動機構によって伸縮可能な複数の突起により、レーベルプリンタ５のメディアトレイ８１によって搬送されるメディア２Ｃの記録面に傷を付けて処分する機構となっている。この代わりに、ＣＤドライブ４のメディアトレイ４ａ（図６参照）の出し入れ動作を利用して、メディア２Ｃの記録面を機械的に破壊してもよい。また、レーベルプリンタ５としてシリアル式インクジェットプリンタなどを用いる場合には、印字ヘッドを担持しているヘッドキャリッジの動きを利用して、メディア２Ｃの記録面を機械的に破壊してもよい。さらには、メディア搬送機構６によるメディア搬送動作を利用してメディア２Ｃの記録面を機械的に破壊することも可能である。
【００５１】
また、メディア処分機構１１としては、メディア２Ｃの記録面を機械的に破壊する機構の他、当該記録面を化学的に破壊する機構、光学的に破壊する機構を用いることができる。化学的に破壊する機構としては、メディア２Ｃに特殊インクを塗布あるいは吹付けて、その記録面を溶解、酸化させるもの、ヒートローラなどを用いてメディア記録面を溶融あるいは熱変形させるものがある。また、光学的な機構としては、メディアドライブの光学ヘッドを用いて、高出力レーザをＣＤ記録面に照射して当該記録面を破壊する機構などを挙げることができる。勿論、ＣＤ−ＲＷなどの場合には、記録面を破壊せずに、書き込まれている全データを消去してもよい。さらに、ＣＤ−Ｒなどの場合には意味のないデータを上書きするなどで、データを読み取り不能にしてもよい。
【００５２】
さらには、レーベルプリンタ５を用いてメディア２Ｃのデータ書き込み面に印刷を施して、データの読み取りを不能にすることもできる。
【００５３】
次に、レーベル面印刷画像の読取手段としては、ラインセンサ１２の代わりに、ＣＣＤなどからなる二次元センサを用いて、レーベル面全体を一括で読み込むようにすることも可能である。
【００５４】
一方、上記の例は、ＣＤ、ＤＶＤの作成、処分を行う場合の例であるが、ＣＤ、ＤＶＤなどの光ディスク、光磁気ディスクの他に、半導体メモリ、磁気記録媒体などの他の形式の外部記録媒体の作成、処分を行う場合にも本発明を適用できる。この場合、外部記録媒体書き込み装置（メディアドライブ）も、単一の形式の外部記録媒体の書き込みおよび発行動作を行うものを用いることができることは勿論のこと、異なる形式の外部記録媒体の書き込み、および発行動作を行う機能を備えたものを用いることも可能である。
【図面の簡単な説明】
【００５５】
【図１】ＣＤパブリッシャの一例を示す外観斜視図である。
【図２】図１のＣＤパブリッシャにおける開閉扉が開いた状態での斜視図である。
【図３】図１のＣＤパブリッシャの内部構造を示すための斜視図である。
【図４】図２のＶＩ−ＶＩ線に沿った模式的断面図である。
【図５】図１のＣＤパブリッシャのプリンタを示す斜視図である。
【図６】図１のＣＤパブリッシャの内部概略構成図である。
【図７】図１のＣＤパブリッシャの動作を示す概略フローチャートである。
【符号の説明】
【００５６】
１：ＣＤパブリッシャ、２：メディア、２ａ：レーベル面、２Ａ：ブランクメディア、２Ｂ：作成済みメディア、２Ｃ：使用済みメディア、２Ｄ：処分済みメディア、３：メディア保管部、３Ａ：ブランクメディア保管部、３Ｂ：作成済みメディア保管部、４：メディアドライブ、５：レーベルプリンタ、６：メディア搬送機構、７：制御部、８：ケース、９：開閉扉、１０：メディア排出口、１１：メディア処分機構、１２：ラインセンサ、１３：記憶部、１３ａ：メディア処分履歴、１４：操作部、１５：通信用インターフェース、１６：上位機器
【図１】
0004752838.tif 000002
【図２】
0004752838.tif 000003
【図３】
0004752838.tif 000004
【図４】
0004752838.tif 000005
【図５】
0004752838.tif 000006
【図６】
0004752838.tif 000007
【図７】
0004752838.tif 000008